(57)【要約】【課題】  開状態において蓋と枠との隙間を極力小さくでき、しかも開閉時における蓋のぐらっきを防止でき、外観性及び開閉操作性に優れた構造とすること。【解決手段】  蓋４の後端部４ａにヒンジ部材６を介してヒンジ側スライダー８を固着し、蓋４の後端部４ａよりも前端部４ｂ寄りに蓋保持用アーム７を介してアーム側スライダー９を枢着する。アーム側スライダー９とヒンジ側スライダー８とをバネ１０で連結してスライダーユニット１４を構成する。収納庫本体２の枠５にスライダーユニット１４を前後移動自在に支持する水平ガイド１５を設けると共に、蓋４を閉じたときにスライダーユニット１４を停止させる第１ストッパー１６と、蓋４を開いたときに第１ストッパー１６による停止位置よりも前方Ａ位置でスライダーユニット１４を停止させる第２ストッパー１７とを設ける。【選択図】        図１
2005120756.tif 000002
【特許請求の範囲】
【請求項１】
収納庫本体の開口部を開閉する蓋が収納庫本体の枠に開閉自在に保持される床下収納庫に設けられる蓋スライド機構であって、蓋の後端部にヒンジ部材の上端を枢着すると共にヒンジ部材の下端にヒンジ側スライダーを固着し、蓋の後端部よりも前端部寄りの位置に蓋保持用アームの一端を枢着すると共に蓋保持用アームの他端にアーム側スライダーを枢着し、アーム側スライダーとヒンジ側スライダーとをバネで連結してスライダーユニットが構成され、収納庫本体の枠に、上記蓋のヒンジ部材の回転軸と直交する前後方向に延設される水平ガイドが設けられ、水平ガイドには、上記アーム側スライダーをヒンジ側スライダーの前方に配置した状態でスライダーユニットが前後移動自在に支持されていると共に、蓋を閉じたときにスライダーユニットを停止させる第１ストッパーと、蓋を開いたときに上記第１ストッパーによる停止位置よりも前方位置でスライダーユニットを停止させる第２ストッパーとが設けられていることを特徴とする床下収納庫の蓋スライド機構。
【請求項２】
上記第２ストッパーは、第１ストッパーによるヒンジ側スライダーの停止位置よりも前方位置に配置されるガイド切欠部と、蓋を開いたときにヒンジ側スライダーをガイド切欠部に向って付勢するストッパー用バネとで構成されていることを特徴とする請求項１記載の床下収納庫の蓋スライド機構。
【発明の詳細な説明】
【技術分野】
【０００１】
本発明は、台所等の床下に設置される床下収納庫の蓋スライド機構に関し、詳しくは蓋の開閉性を良好にするための技術に関するものである。
【背景技術】
【０００２】
従来から、収納庫本体の開口部を開閉する蓋をヒンジ部を介して収納庫本体の枠に回動自在に連結した構造のものが一般的に知られている。
【０００３】
ところが、この従来例では、蓋は固定されたヒンジ部を中心として回動する構造であるため、蓋の開閉時に蓋の後端部と枠とが擦れないようにする必要があり、そのため蓋の後端部と枠との間に大きな隙間を設けなければならず、蓋の開状態では隙間が目立ち、外観上の納まりが悪く、そのうえ気密性が損なわれるという問題もあった。
【０００４】
そこで、上記問題を解決するための他の従来例として、図１１に示すように、収納庫本体２の蓋４の後端部４ａと枠５との間を短尺の蓋持ち上げ用のリンク機構５０を介して連結すると共に、蓋４の後端部４ａよりも前端部寄りの位置と枠５との間を長尺の蓋保持用のリンク機構５１を介して連結し、蓋４の全開時にリンク機構５０によって蓋４の後端部４ａを枠５よりも上方に位置させた状態でリンク機構５１によって蓋４を開状態で保持する構造が知られている（例えば、特許文献１参照）。
【０００５】
ところがこの従来例にあっては、隙間Ｓ’を小さくできるが、しかしながらリンク機構５０、５１を折り畳んだ図１２の閉状態から蓋４全体を上方に持ち上げてリンク機構５０、５１を伸ばすことによって図１１の開状態にしているため、開閉の途中で蓋４にぐらつきが発生しやすいという問題がある。
【特許文献１】特開２００１−３２５１８号公報
【発明の開示】
【発明が解決しようとする課題】
【０００６】
本発明は上記の従来の問題点に鑑みて発明したものであって、開状態において蓋と枠との隙間を極力なくすことができ、しかも開閉時における蓋のぐらつきを防止でき、外観性及び開閉操作性に優れた床下収納庫の蓋スライド機構を提供することを課題とするものである。
【課題を解決するための手段】
【０００７】
上記課題を解決するために本発明にあっては、収納庫本体２の開口部３を開閉する蓋４が収納庫本体２の枠５に開閉自在に保持される床下収納庫１に設けられる蓋スライド機構であって、蓋４の後端部４ａにヒンジ部材６の上端６ａを枢着すると共にヒンジ部材６の下端６ｂにヒンジ側スライダー８を固着し、蓋４の後端部４ａよりも前端部４ｂ寄りの位置に蓋保持用アーム７の一端７ａを枢着すると共に蓋保持用アーム７の他端７ｂにアーム側スライダー９を枢着し、アーム側スライダー９とヒンジ側スライダー８とをバネ１０で連結してスライダーユニット１４が構成され、収納庫本体２の枠５に、上記蓋４のヒンジ部材６の回転軸Ｍと直交する前後方向に延設される水平ガイド１５が設けられ、水平ガイド１５には、上記アーム側スライダー９をヒンジ側スライダー８の前方Ａに配置した状態でスライダーユニット１４が前後移動自在に支持されていると共に、蓋４を閉じたときにスライダーユニット１４を停止させる第１ストッパー１６と、蓋４を開いたときに上記第１ストッパー１６による停止位置よりも前方Ａ位置でスライダーユニット１４を停止させる第２ストッパー１７とが設けられていることを特徴としている。
【０００８】
このような構成とすることで、蓋４の全閉状態では第１ストッパー１６によってスライダーユニット１４を後方Ｂ寄りに位置決めすることで、蓋４の後端部４ａと枠５との間の隙間Ｓを極力なくすことが可能となり、これにより、従来のように隙間Ｓが目立つことがなく、外観上の納まりがきわめて良くなり、そのうえ気密性が損なわれる心配もなくなる。また蓋４を開いたときは上記第１ストッパー１６による停止位置よりも前方Ａ位置で第２ストッパー１７によりスライダーユニット１４を停止させるので、蓋４を開くときに蓋４が前進移動することで蓋４の後端部４ａと枠５とが擦れ合うことを防止できるようになる。さらに、蓋４の開閉時において、蓋４のヒンジ部材６はヒンジ側スライダー８を介して水平ガイド１５に沿って前後移動（水平移動）するのみであり、従来のように上下動するものではないので、蓋４の開閉時のぐらつきを防止でき、開閉操作をスムーズに且つ安定良く行なえるようになる。
【０００９】
また上記第２ストッパー１７は、第１ストッパー１６によるヒンジ側スライダー８の停止位置よりも前方Ａ位置に配置されるガイド切欠部１７ａと、蓋４を開いたときにヒンジ側スライダー８をガイド切欠部１７ａに向って付勢するストッパー用バネ１１とで構成されているのが好ましい。
【００１０】
この場合、蓋４の全開状態ではヒンジ側スライダー８が第２ストッパー１７によって前方Ａへの移動が阻止されるため、スライダーユニット１４全体の前進移動が阻止され、従って、蓋４が開いたままの状態で前進移動することがなく、より安全に使用できるものである。
【発明の効果】
【００１１】
本発明は、蓋の全閉状態では納まりと気密性の向上を図ることができ、蓋を開くときは蓋の後端部と枠とが擦れ合うことを防止でき、さらに従来のように蓋を持ち上げる場合と異なり蓋のぐらつきを防止でき、蓋の開閉操作性を大幅に向上させることができるものである。
【発明を実施するための最良の形態】
【００１２】
以下、本発明を添付図面に示す実施形態に基いて説明する。
【００１３】
図１は本実施形態の蓋スライド機構２０の正面図であり、図２はその平面図であり、図３は床下収納庫１の平面図であり、図４は図３の側面断面図である。
【００１４】
本実施形態の床下収納庫１は、収納庫本体２の開口部３を開閉する蓋４が収納庫本体２の枠５に開閉自在に保持されており、枠５側に蓋スライド機構２０が組み込まれている。蓋４の前端部４ｂ側に取手２１が設けられている。蓋スライド機構２０は蓋４の左右の両側端部にそれぞれ配設されている。左右の蓋スライド機構２０は同一構造をしており、以下、図１を参照して一方の蓋スライド機構２０について説明する。
【００１５】
図１に示すように、蓋４の後端部４ａの側端面４ｃ（図３）には、ヒンジ軸２２を介してヒンジ部材６の上端６ａが回動自在に連結されていると共に、ヒンジ部材６の下端６ｂはネジ２３によってヒンジ側スライダー８に対して回動不能に固定されている。さらに蓋４の後端部４ａよりも前端部４ｂ寄りの側端面４ｃには、アーム軸２４を介して蓋保持用アーム７の一端７ａが回動自在に連結されていると共に、蓋保持用アーム７の他端７ｂにはアーム軸２５を介してアーム側スライダー９が回動自在に連結されている。アーム側スライダー９とヒンジ側スライダー８とはバネ１０を介して互いに連結されており、これらアーム側スライダー９とヒンジ側スライダー８とバネ１０とでスライダーユニット１４が一体に構成されている。なおバネ１０は例えばコイルバネからなり、アーム側スライダー９とヒンジ側スライダー８とを常に引き寄せる方向にバネ力を付与している。
【００１６】
一方、収納庫本体２の枠５には、上記蓋４のヒンジ部材６の回転軸Ｍと直交する前後方向Ａ，Ｂに水平ガイド１５が延設されており、この水平ガイド１５に沿って上記アーム側スライダー９をヒンジ側スライダー８の前方Ａに配置した状態でスライダーユニット１４が前後移動自在に支持されている。ここでは、水平ガイド１５は例えば断面Ｅ字形の鋼製ケース２６の内面に沿って形成されており、水平凸部２７を挟んでその上下に上ガイドレール１５ａと下ガイドレール１５ｂとが設けられている。
【００１７】
上ガイドレール１５ａの後端１５ｃ側には、上ガイドレール１５ａ内部に納まる角型ブロック形状のヒンジ側スライダー８が前後方向Ａ，Ｂに遊動自在に収納されている。またヒンジ側スライダー８の前方Ａ位置には、上ガイドレール１５ａから下ガイドレール１５ｂに跨るブロック形状のアーム側スライダー９が前後方向Ａ，Ｂに遊動自在に収納されている。
【００１８】
ここで、下ガイドレール１５ｂの後端１５ｄ側には、後側ストッパーブロック２９が固定されている。この後側ストッパーブロック２９の上部には立上がり片３０が立設されており、一方、ヒンジ側スライダー８の下端部からは立上がり片３０と対向する垂下片３１が垂設されており、図１のように蓋４を閉じたときに垂下片３１が後退移動して立上がり片３０に当接することでヒンジ側スライダー８のそれ以上の後退移動を阻止できるようになっている。さらに上ガイドレール１５ａの前端１５ｅ側から下ガイドレール１５ｂの前端１５ｆ側に跨るように前側ストッパーブロック２８が固定されている。前側ストッパーブロック２８の上部にはアーム側スライダー９の凸部６０と対向する凸部３２が突設されており、蓋４を閉じたときにアーム側スライダー９が前進移動して凸部６０が凸部３２に当接することで、アーム側スライダー９のそれ以上の前進移動を阻止できるようになっている。これら前側ストッパーブロック２８の凸部３２と後側ストッパーブロック２９の立上がり片３０とで第１ストッパー１６が構成されている。この第１ストッパー１６は蓋４を閉じたときにスライダーユニット１４の前後の動きを止めて蓋４の後端部４ａと枠５との隙間Ｓ（図５）を極力なくす状態で、蓋４を停止させる働きをする。
【００１９】
さらに、上ガイドレール１５ａの上側リップ部３３の一部には、ヒンジ側スライダー８の前縁部８ａと対向するガイド切欠部１７ａが切欠形成されており、蓋４を開いたときにヒンジ側スライダー８が前進移動してその前縁部８ａがガイド切欠部１７ａに当接することで、スライダーユニット１４のそれ以上の前進移動を阻止できるようになっている。さらに、後側ストッパーブロック２９の内側にはストッパー用バネ１１を構成する捩りバネが収納されている。この捩りバネからなるストッパー用バネ１１の一端１１ａは後側ストッパーブロック２９の下部に支承され、他端１１ｂはヒンジ側スライダー８の内側に支承され、ストッパー用バネ１１によってヒンジ側スライダー８は前方Ａに向って常にバネ付勢されている。このストッパー用バネ１１は、蓋４を開いたときにヒンジ側スライダー８を上記ガイド切欠部１７ａに向って付勢する働きをする。これらストッパー用バネ１１とガイド切欠部１７ａとで第２ストッパー１７を構成している。この第２ストッパー１７は、蓋４を開いたときに上記第１ストッパー１６（凸部３２、立上がり片３０）による停止位置よりも前方Ａ位置でヒンジ側スライダー８を停止させる働きをする。
【００２０】
また本例では、前側ストッパーブロック２８の下部後面に後方Ｂに向かって衝撃吸収用バネ１２を突設させてあり、アーム側スライダー９が凸部３２に当たる前に衝撃吸収用バネ１２に当たるようにすることで、蓋４を閉じるときのアーム側スライダー９と凸部３２との衝撃を緩和できるようになっている。
【００２１】
さらに本例では、アーム側スライダー９の下部と後側ストッパーブロック２９とがハートカム機構４０を介して連結されている。このハートカム機構４０は、蓋４を全開状態にしたときに蓋４が不用意に閉じるのを防止するために蓋４をロックする働きをし、さらに蓋４を閉じるときは全開位置から更に開く方向に僅かに押すことでロックを解除できる仕組みとなっている。本例のハートカム機構４０は、図９に示すロックピン４１を備えたロックアーム４２と、図１０に示すハートカム溝４３を備えたカム板４４と、上記ロックアーム４２の背面に取り付けられてロックピン４１をハートカム溝４３に向って弾圧する板バネ１３とで構成されている。板バネ１３の先部１３ａはロックピン４１を背後から抑圧するためにアーチ状に屈曲させてあり、このアーチ状の先部１３ａの背面を水平ガイド１５の壁面に当てることで、ロックアーム４２の先端部分をカム板４４に向ってバネ付勢し、これによりロックピン４１がハートカム溝４３の深さ方向に向けて常に押圧されるようになっている。なおロックアーム４２の基端部はアーム側スライダー９にピン結合され、カム板４４は後側ストッパーブロック２９にネジ固定されているが、逆に、ロックアーム４２を後側ストッパーブロック２９にピン結合し、アーム側スライダー９をアーム側スライダー９にネジ固定してもよいものであり、いずれの場合も、ロックアーム４２は基端部を中心に先端部分が上下に揺動自在となり、且つ先端部分がカム板４４に向って移動可能となるようにピン結合等で取り付けられる。
【００２２】
上記ハートカム溝４３は図１０（ａ）に示すように、第１の上り傾斜面４５と、第１の上り傾斜面４５の終端部４５ｂよりも一段低い第１の段落ち部４７と、更に下り傾斜したＶ形係止部４９と、更に一段低い第２の段落ち部４８と、第２の上り傾斜面４６と、第２の上り傾斜面４６の終端部４６ｂよりも一段低い第３の段落ち部３９とが連続して形成されている。ここで第２の上り傾斜面４６の始端部４６ａは第２の段落ち部４８より一段低く、第３の段落ち部３９は第１の上り傾斜面４５の始端部４５ａよりも一段高くなっている。ここで、蓋４を開くとロックアーム４２とカム板４４とが接近することで、ロックピン４１は、図１０（ａ）の初期位置ａから第１の上り傾斜面４５→第１の段落ち部４７（折り返し位置ｂ）→Ｖ形係止部４９（係止位置）の順に移動し、最後にＶ形係止部４９に係止することで蓋４は全開位置でロックされる。その後、蓋４を閉じるときは、一旦開く方向に押すことでロックピン４１はＶ形係止部４９→第２の段落ち部４８（折り返し位置ｄ）に移動し、その後に蓋４を閉じると、ロックアーム４２とカム板４４とが離れ、ロックピン４１は第２の段落ち部４８→第２の上り傾斜部→第３の段落ち部３９→第１の上り傾斜面４５の始端部４５ａ（初期位置ａ）の順に移動可能となる。ここで上記ロックピン４１は板バネ１３によって背後から押圧されているため、各段落ち部４７、４８、３９をそれぞれ逆戻りできず、必ず上記経路で移動するものである。
【００２３】
次に蓋４の開閉時における蓋スライド機構２０の動きを説明する。
【００２４】
先ず、図５に示す蓋４の全閉状態では、蓋保持用アーム７が倒れてバネ１０が伸び、アーム側スライダー９がヒンジ側スライダー８から最も離れた位置に移動しており、且つこの状態でアーム側スライダー９が前側ストッパーブロック２８の凸部３２に当接してその前進移動が阻止され、ヒンジ側スライダー８が後側ストッパーブロック２９の立上がり片３０に当接してその後退移動が阻止されている。つまり図５のように蓋４の後端部４ａと枠５との間の隙間Ｓが小さくなる位置で蓋４は停止する。
【００２５】
従って、蓋４の全閉状態ではスライダーユニット１４が最も後方Ｂ寄りに位置決めされるので、蓋４の後端部４ａと枠５との間の隙間Ｓを小さくできるので、隙間Ｓが目立つことがなく、外観上の納まりがきわめて良くなり、そのうえ気密性が損なわれる心配もなくなるものである。
【００２６】
また、上記蓋４を開くと、図６（開き角度θ１＝約２０°）→図７（開き角度θ２＝約６０°）に示すように、蓋保持用アーム７が起立してバネ１０が縮んでアーム側スライダー９とヒンジ側スライダー８とが引き寄せられ、ヒンジ側スライダー８が立上がり片３０から離れて前進移動すると共に、アーム側スライダー９が凸部３２から離れて後退移動する。これにより、蓋４は第１ストッパー１６（凸部３２、立上がり片３０）による停止位置よりも前方Ａにずれた位置で、ヒンジ部材６を支点に開かれるようになる。従って、蓋４の全閉状態において図５に示すように、蓋４の後端部４ａが枠５に接近して停止した構造でありながら、全開にしたときは図８（開き角度θ３＝約１００°）に示すように、蓋４が僅かに前進移動して開かれることで蓋４の後端部４ａと枠５とが擦れ合うことを防止できるようになる。また蓋４の全開状態では、ハートカム機構４０のロックピン４１がハートカム溝４３のＶ形係止部４９（図１０（ａ）の係止位置）に入り込むことで、蓋４を閉じる方向に押しても蓋４はロックされて閉じることができず、安全性が確保される。そのうえ蓋４の全開状態では、ヒンジ側スライダー８がストッパー用バネ１１によって水平ガイド１５のガイド切欠部１７ａに当接しており、結果、スライダーユニット１４全体の前進移動が第２ストッパー１７（ストッパー用バネ１１、ガイド切欠部１７ａ）によって阻止された状態となり、蓋４が開いたままの状態で前進移動することもなく、より安全となる。
【００２７】
その後、蓋４を閉じる場合は、全開位置から一旦開く方向に押すと、ロックピン４１がＶ形係止部４９から第２の段落ち部４８（図１０（ａ）の折り返し位置ｄ）に移動し、その後、蓋４を閉じるとロックピン４１は第２の上り傾斜面４６→第３の段落ち部３９→第１の上り傾斜面４５へと移動することで、蓋４を閉じることが可能になる。このとき、蓋４が途中まで閉じると蓋保持用アーム７が所定角度だけ倒れてアーム側スライダー９が前進移動して凸部３２に当たり（図７の状態）、さらに蓋４を閉じると蓋保持用アーム７が更に倒れてヒンジ側スライダー８がバネ１０を伸ばしながらガイド切欠部１７ａよりも後方Ｂへ押され（図６の状態）、最後に蓋４が全閉状態になった段階でヒンジ側スライダー８の垂下片３１が立上がり片３０に当たり（図１の状態）、これによりスライダーユニット１４が前後方向Ａ，Ｂに位置決めされた状態となり、蓋４は元の全開状態に戻る。
【００２８】
しかして、蓋４の開閉時において、蓋４のヒンジ部材６はヒンジ側スライダー８を介して水平ガイド１５に沿って前後移動（水平移動）するのみであり、従来のように上下動するものではない。これにより、従来のように蓋４を持ち上げて開閉する場合のような蓋４のぐらつきの問題が生じない。従って、本発明では蓋４の開閉時のぐらつきがなく、開閉操作をスムーズ且つ安定良く行なえるものとなる。さらに前述のように蓋４の全閉状態で蓋４と枠５との隙間Ｓを小さくできるものでありながら、開閉する際に蓋４の後端部４ａと枠５とが擦れ合うことを防止でき、そのうえハートカム機構４０によって蓋４の全開時でのロックを確実にできることも併せて、床下収納庫１の蓋４の開閉操作性が従来と比較して大幅に向上するものである。
【００２９】
なお、蓋４を全開状態になるときにアーム側スライダー９の下部が後側ストッパーブロック２９の前端面２９ａ（図１）に当接するようにしてもよい。この場合、後側ストッパーブロック２９を、蓋４を開いたときにアーム側スライダー９の後方Ｂへの動きを止めるストッパーとして有効に利用できるようになる。
【図面の簡単な説明】
【００３０】
【図１】本発明の一実施形態の蓋スライド機構の正面図である。
【図２】同上の平面図である。
【図３】同上の床下収納庫の平面図である。
【図４】同上の床下収納庫の側面断面図である。
【図５】同上の蓋の全閉状態の説明図である。
【図６】同上の蓋の開き直後の説明図である。
【図７】同上の蓋の半開き状態の説明図である。
【図８】同上の蓋の全開状態の説明図である。
【図９】（ａ）は同上のロックアームの正面図、（ｂ）は平面図、（ｃ）は板バネの正面図である。
【図１０】（ａ）は同上のカム板の正面図、（ｂ）は（ａ）のＢ−Ｂ矢視図、（ｃ）は（ａ）のＡ−Ａ矢視図である。
【図１１】従来例の蓋の全開状態の説明図である。
【図１２】従来例の蓋の全閉状態の説明図である。
【符号の説明】
【００３１】
２  収納庫本体
３  開口部
４  蓋
４ａ  後端部
４ｂ  前端部
５  枠
６  ヒンジ部材
６ａ  上端
６ｂ  下端
７  蓋保持用アーム
７ａ  一端
７ｂ  他端
８  ヒンジ側スライダー
９  アーム側スライダー
１０  バネ
１１  ストッパー用バネ
１４  スライダーユニット
１５  水平ガイド
１６  第１ストッパー
１７  第２ストッパー
１７ａ  ガイド切欠部
Ａ  前方
Ｂ  後方
Ｍ  回転軸
【図１】
2005120756.tif 000003
【図２】
2005120756.tif 000004
【図３】
2005120756.tif 000005
【図４】
2005120756.tif 000006
【図５】
2005120756.tif 000007
【図６】
2005120756.tif 000008
【図７】
2005120756.tif 000009
【図８】
2005120756.tif 000010
【図９】
2005120756.tif 000011
【図１０】
2005120756.tif 000012
【図１１】
2005120756.tif 000013
【図１２】
2005120756.tif 000014